(57)【要約】【課題】従来の高足こたつの足の裏からの冷気を防ぎ、暖気を逃がさない暖かいこたつにするため、簡単にこたつに取り付けられ、かつ足の出し入れが容易で、どのこたつにも取り付けられて、風よけの重い板付きの椅子を必要としない便利な物を提供する事。【解決手段】こたつ足の下部の外側を囲むようにして、こたつの足に取り付ける布で、２種類の布を交互に繋ぎ合わせた物で、どのこたつにも対応できる伸び縮みする作りの布で、１種類は、布の上辺または一部を足で踏み込むと、上辺の高さが自由に下がる様にして、横に伸びちぢみする布で、布の上辺と下辺の間に足をかけるひも等を表と裏面に１から数個ずつ付け、もう１種類はこたつの足の外側付ける布で、布の内側に、両側にマジックテープを付けた細い布を縫い付け、こたつの足に巻き付けるか、又は、ゴムを付けて、布が落ちないように固定した足巻き布で、足の出し入れが暖かく省エネになるこたつまきを提供する。【選択図】    図１
0003114515.tif 000002
【実用新案登録請求の範囲】
【請求項１】
高足こたつの足下からの外気の侵入を防ぎ、暖気を逃がさないように、こたつの４側面に沿ってこたつの足の外側を囲むようにして、こたつの足に取り付ける布であり、２種類の布を交互に繋ぎ合わせて輪状にしたもので、どのこたつにも対応できる伸び縮みする作りの布で、１種類は足差し込み部分の下部につけ、布を二重又は三重に重ねたもので、こたつに取り付けた時、布の上辺または一部を足で踏み込むと、上辺の高さが自由に下がる様に、ゴム等の弾性体を布の上辺または上辺及び下辺までの間の布の間に横に何本か通し、弾性体の上下を縫い、のびちぢみ出来る様にして布の間に縫い込んだ布で、縦幅は２０ｃｍ以上で、横幅は足差し込み部分の１．２倍から３倍の長さの布をひだを寄せて布幅をちぢめて縫い止め、横に伸びちぢみする布で、布の上辺と下辺の間に足をかけるひも又はポッケト状のたるみ又は出っ張り等を表面かまたは表と裏面に１から数個ずつ付けた布で、こたつ布団を持ち上げた時の下からの冷気を塞ぐように、横に伸び縮みするよう足差し込み部分の下部に取り付け、もう１種類はこたつの足の外側に当たるところに付ける布で、布幅が１２ｃｍ以上で、布の内側に、両側にマジックテープを付けた細い布を１から数個縫い付け、こたつの足に巻き付けるか、又は、ゴムを横に１から数個取り付けて、ゴムと布の間にこたつの足を通して布を固定するようにし、また、布の上辺から下に２〜７ｃｍの幅をとり、布の左右から中心に向かって切り込みを入れ、中心あたりを繋げたまま残し、切り開かれた上部の布の左右にマジックテープ等の留め具を取り付け、それをこたつの足に巻き付けて布が落ちないように固定した足巻き布で、２種類の布を交互に繋ぎ合わせて輪状にし足の出し入れが楽でずり落ちにくく、暖かく省エネになるこたつまきを提供する。
【考案の詳細な説明】
【技術分野】
【０００１】本発明は、こたつ用品に関するものである。
【背景技術】
【０００２】従来の布団は特開２００１−２３５１５８や実録３０６３５７２の様にこたつに入るとき掛け布団の側面全体を持ち上げて使用する為椅子と布団の間に隙間が出来て足の裏側が寒く、また一つの切り込みに足を入れると下からの冷気を防ぐ作りの椅子が必要で、椅子が重く取り扱いに不便であり、いずれもその部分を完全にふさげる作りの布団はなく暖かさと省エネに欠けた。
【特許文献１】特開２００１−２３５１５８号公報
【非特許文献】実録３０６３５７２号公報
【考案の開示】
【考案が解決しようとする課題】
【０００３】足のふくらはぎの部分への下からの冷気を完全に防ぐ事が出来て暖かく、かつ足の出し入れが容易で、どのこたつにも簡単に取り付けて使用出来る製品を作ること。
【課題を解決するための手段】
【０００４】  高足こたつの足下からの外気の侵入を防ぎ、暖気を逃がさないように、こたつの４側面に沿ってこたつの足の外側を囲むようにしてこたつ足に取り付ける布を作り、２種類の布を交互に繋ぎ合わせて輪状にしたもので、どのこたつにも対応できる伸び縮みする作りの布で、１種類は足差し込み部分の下部につけ布を二重又は三重に重ねたもので、足で布の１部を踏むと上辺が床まで届くように伸びて足の出し入れが容易で、横に伸び縮みするよう足差し込み部分の下部に取り付け、もう１種類はこたつの足の外側に当たるところに取り付け、その１部をこたつの足に巻き付けて布が落ちないように固定した足巻き布で足の出し入れが楽でずり落ちにくく、簡単にこたつに取り付けて使用出来る。
【考案の効果】
【０００５】このこたつ巻き布を使用すると、足元からの冷気を完全に塞ぐ事が出来て暖かく省エネになる。又、足差し込み口の下の布は、表面と裏面にタックがあるので足で踏み込みやすく、足の出し入れが簡単で膝への負担が少ない布であり、椅子使用のこたつの場合、下からの冷気を防ぐため冷気防止様の板付きの椅子を使用するが、椅子が重く動かしにくい欠点があった。この布団を使うとふつうの椅子でよく、見た目がスッキリして重くなく、夏場にダイニングテーブルとしても違和感がない椅子テーブルセットになる。又伸びちぢみするのでどのこたつにも簡単に取り付けられて便利である。
【考案を実施するための最良の形態】
【０００６】こたつの４面を囲むような布を作り、足差し込み部分に、簡単に足が出し入れ出来る作りの布を付けて、下からの冷気を防ぎ暖かくかつ足の出し入れが容易にできるものをつけた。それは２種類の作りの布で、それを交互に縫い合わせ輪状にして取り付ける物で、１種類は、足差し込み部分に、ゴム等の弾性体の復元力を利用し、上辺またはその１部を足で踏み込むと簡単に床まで届きすぐ元の状態にもどるつくりにした布を付け、又踏み込み易いように足かけ部分をつけた。もう１種類はこたつの足に取り付ける布がずり落ちない様に留める布で、布の内側にゴムを１から数個つけ、布とゴムの間にこたつの足を通し布の１部を切り込み、そこにマジックテープを付け、切り込んだ布を足に巻き付ける様にして固定しずり落ちない様にした。
【実施例１】
【０００７】以下、本考案の実施の形態を図面にもとずいて説明する。図１はこたつ足の下に取り付ける布で、２種類の布を繋ぎ合わせたもので、１は足差し込み部分に付ける布です。２はこたつの足に取り付ける布です。１と２は交互に縫われ輪になっています。１の布は足差し込み部分の下部につけ、布を二重又は三重に重ねたもので、こたつに取り付けた時、布の上辺または一部を足で踏み込むと、上辺の高さが自由に下がる様に、ゴム等の弾性体を布の上辺または上辺及び下辺までの間の布の間に横に何本か通し、弾性体の上下を縫い、のびちぢみ出来る様にして布の間に縫い込んだ布で、縦幅は２０ｃｍ以上で、横幅は足差し込み部分の１．２倍から３倍の長さの布をひだを寄せて布幅をちぢめて縫い止め、横に伸びちぢみする布で、布の上辺と下辺の間に足をかけるひも又はポッケト状のたるみ又は出っ張り等を表面かまたは表と裏面に１から数個ずつ付けた布で、こたつ布団を持ち上げた時の下からの冷気を塞ぐように、横に伸び縮みするよう足差し込み部分の下部に取り付け、２は、こたつの足の外側に当たるところに付ける布で、布幅が１２ｃｍ以上で、布の内側に、両側にマジックテープを付けた細い布５を１から数個縫い付け、こたつの足に巻き付けるか、又は、６のゴムを横に１から数個取り付けて、ゴムと布の間にこたつの足を通して布を固定するようにし、また、布の上辺から下に２〜７ｃｍの幅をとり、布の左右から中心に向かって切り込みを入れ、中心あたりを繋げたまま残し３のようにして、切り開かれた上部の布３の左右にマジックテープ等の留め具を取り付け、それをこたつの足に巻き付けて布が落ちないように固定した足巻き布です。【０００８】１の布には４の足を掛けるひもが１から数個表面かあるいは表裏の両面につき、それを踏むと１の上辺がさがり、上辺を踏み込むと床まで届く弾性があり足の出し入れがしやすく、又すぐに元にもどり暖気を逃がさない。【０００９】２の布には６のゴムか、５のマッジクテープの付いた布を１から数個縫いつけこたつの足に取り付けるようにする。３は２の上辺から下に２から７ｃｍのところを左右から中心に向かい切り込んだもので１０ｃｍぐらいつなげたままにする。３の両端にはマッジクテープが付き同じ様にこたつ足にまきつけて６のゴムは横に付け２の真ん中あたりにつける。ゴムと布の間にこたつ足を通すようにするかどちらかにして布がずり落ちるのを防ぐ。
【図面の簡単な説明】
【００１５】
【図１】こたつまき布を広げた全体図
【符号の説明】
【００１６】        １・・・あし挿入部分に付く布
２・・・こたつ足の部分に付く布
３・・・２の上辺の切り込んだ布
４・・・足を掛けるひも
５・・・２の裏側に付ける布でこたつ足に巻き付ける布
６・・・２の裏側に付けるゴム
【図１】
0003114515.tif 000003
【手続補正書】
【提出日】平成17年6月15日(2005.6.15)
【手続補正１】
【補正対象書類名】実用新案登録請求の範囲
【補正対象項目名】全文
【補正方法】変更
【補正の内容】
【実用新案登録請求の範囲】
【請求項１】
高足こたつの足下からの外気の侵入を防ぎ、暖気を逃がさないように、こたつの４側面に沿ってこたつの足の外側を囲むようにして、こたつの足に取り付ける布であり、２種類の布を交互に繋ぎ合わせて輪状にしたもので、どのこたつにも対応できる伸び縮みする作りの布で、１種類は足差し込み部分の下部につけ、布を二重又は三重に重ねたもので、こたつに取り付けた時、布の上辺または一部を足で踏み込むと、上辺の高さが自由に下がる様に、ゴム等の弾性体を布の上辺または上辺及び下辺までの間の布の間に横に何本か通し、弾性体の上下を縫い、のびちぢみ出来る様にして布の間に縫い込んだ布で、縦幅は２０ｃｍ以上で、横幅は足差し込み部分の１．２倍から３倍の長さの布をひだを寄せて布幅をちぢめて縫い止め、横に伸びちぢみする布で、布の上辺と下辺の間に足をかけるひも又はポッケト状のたるみ又は出っ張り等を表面かまたは表と裏面に１から数個ずつ付けた布で、こたつ布団を持ち上げた時の下からの冷気を塞ぐように、横に伸び縮みするよう足差し込み部分の下部に取り付け、もう１種類はこたつの足の外側に当たるところに付ける布で、布幅が１２ｃｍ以上で、布の内側に、両側に面テープを付けた細い布を１から数個縫い付け、こたつの足に巻き付けるか、又は、ゴムを横に１から数個縫い付けて、ゴムと布の間にこたつの足を通して布を固定するようにし、また、布の上辺から下に２〜７ｃｍの幅をとり、布の左右から中心に向かって切り込みを入れ、中心あたりを繋げたまま残し、切り開かれた上部の布の左右に面テープ等の留め具を取り付け、それをこたつの足に巻き付けて布が落ちないように固定した足巻き布で、２種類の布を交互に繋ぎ合わせて輪状にし足の出し入れが楽でずり落ちにくく、暖かく省エネになるこたつまき布。
【手続補正２】
【補正対象書類名】明細書
【補正対象項目名】全文
【補正方法】変更
【補正の内容】
【考案の詳細な説明】
【技術分野】
【０００１】本発明は、こたつ用品に関するものである。
【背景技術】
【０００２】従来の布団は特開２００１−２３５１５８や実録３０６３５７２の様にこたつに入るとき掛け布団の側面全体を持ち上げて使用する為椅子と布団の間に隙間が出来て足の裏側が寒く、こたつ内の暖気を逃がすので、下からの冷気を防ぐ作りの椅子が必要で、椅子には足に横板が張ってあり重く取り扱いに不便であり、こたつぶとんもその部分を完全にふさげる作りの布団はなく暖かさと省エネに欠けた。
【特許文献１】特開２００１−２３５１５８号公報
【非特許文献】実録３０６３５７２号公報
【考案の開示】
【考案が解決しようとする課題】
【０００３】高足こたつの掛け布団と椅子との隙間を完全にふさぎ、足下からの外気の侵入を防ぎ、こたつ内の暖気を逃がさない暖かいこたつになるもので、従来のこたつぶとんを掛けた時と同じ様に足の出し入れが簡単でこたつに簡単に取り付けられ省エネで暖かいこたつになる製品を作ること。
【課題を解決するための手段】
【０００４】高足こたつの足下からの外気の侵入を防ぎ、暖気を逃がさないように、こたつの４側面に沿ってこたつの足の外側を囲むようにしてこたつ足に取り付けるこたつまき布を作ることで解決する。足の出し入れと取り付けを簡単にするため、それは２種類の布を交互に繋ぎ合わせて輪状にしたもので、横に伸び縮みする作りの布で、１種類は足差し込み部分の下部につけ布を二重又は三重に重ねたもので、足で布の１部を踏むと上辺が床まで届くように伸びて足の出し入れが容易で、横に伸び縮みするよう足差し込み部分の下部に取り付け、もう１種類はこたつの足の外側に当たるところに取り付け、その１部をこたつの足に巻き付けて布が落ちないように固定した足巻き布で足の出し入れが楽でずり落ちにくく、簡単にこたつに取り付けて使用出来る。
【考案の効果】
【０００５】このこたつ巻き布を使用すると、高足こたつの布団と椅子の隙間からの冷気を完全に塞ぐ事が出来て暖かいこたつになり省エネになる。又、足差し込み口の下の布は、表面と裏面に足を掛ける紐等があるので足で踏み込みやすく、踏み込むと布が下までさがるので、足の出し入れが簡単で膝への負担が少ないこたつまき布であり、下からの冷気を防ぐための冷気防止様の板付きの重く動かしにくい椅子を必要とせず、ふつうの椅子でよく、夏場にダイニングテーブルにしても見た目がスッキリして重くなく違和感がない椅子テーブルセットになる。又このこたつ巻き布は伸びちぢみするのでどのこたつにも簡単に取り付けられて便利である。
【考案を実施するための最良の形態】
【０００６】高足こたつの足下からの外気の侵入を防ぎ、暖気を逃がさないように、こたつの４側面に沿ってこたつの足の外側を囲むようにしてこたつ足に取り付けるこたつまき布を作り、足の出し入れと取り付けを簡単にするため、２種類の布を交互に繋ぎ合わせて輪状にしたもので、横に伸び縮みする作りの布で、足差し込み部分には簡単に足が出し入れ出来る作りの布がくるようにし、下からの冷気を防ぎ暖かいこたつになる。１種類の布は、足差し込み部分に、ゴム等の弾性体の復元力を利用し、上辺またはその１部を足で踏み込むと簡単に床まで届きすぐ元の状態にもどるつくりにした布を付け、又踏み込み易いように足かけ部分をつけた。もう１種類はこたつの足に取り付ける布がずり落ちない様に留める布で、布の内側にゴムを１から数個縫いつけ、布とゴムの間にこたつの足を通し、又布の１部を切り込み、そこに面テープを付け、切り込んだ布をこたつ足に巻き付ける様にして固定しずり落ちない様にするか、両側に面テープを付けた細い布を１から数個縫い付け、それをこたつの足に巻き付けて足巻き布が落ちないように固定しこたつに取り付ける様にする。
【実施例１】
【０００７】以下、本考案の実施の形態を図面にもとずいて説明する。図１はこたつ足の下に取り付ける布で、２種類の布を繋ぎ合わせたもので、１は足差し込み部分に付ける布です。２はこたつの足に取り付ける布です。１と２は交互に縫われ輪になっています。１の布は足差し込み部分の下部につけ、布を二重又は三重に重ねたもので、こたつに取り付けた時、布の上辺または一部を足で踏み込むと、上辺の高さが自由に下がる様に、ゴム等の弾性体を布の上辺または上辺及び下辺までの間の布の間に横に何本か通し、弾性体の上下を縫い、のびちぢみ出来る様にして布の間に縫い込んだ布で、縦幅は２０ｃｍ以上で、横幅は足差し込み部分の１．２倍から３倍の長さの布をひだを寄せて布幅をちぢめて縫い止めた、横に伸びちぢみする布で、布の上辺と下辺の間に足をかけるひも又はポッケト状のたるみ又は出っ張り等を表面かまたは表と裏面に１から数個ずつ付けた布で、こたつ布団を持ち上げた時の下からの冷気を塞ぐように、横に伸び縮みするよう足差し込み部分の下部にくるように取り付け、２は、こたつの足の外側に当たるところに付ける布で、布幅が１２ｃｍ以上で、布の内側に、両側に面テープを付けた細い布５を１から数個縫い付け、こたつの足に巻き付けるか、又は、６のゴムを横に１から数個縫い付けて、ゴムと布の間にこたつの足を通して布を固定するようにし、また、布の上辺から下に２〜７ｃｍの幅をとり、布の左右から中心に向かって切り込みを入れ、中心あたりを繋げたまま残し３のようにして、切り開かれた上部の布３の左右に面テープ等の留め具を取り付け、それをこたつの足に巻き付けて布が落ちないように固定するかの２つの方法がありそれにより足巻き布をとりつける。【０００８】１の布には４の足を掛けるひもが１から数個表面かあるいは表裏の両面につき、それを踏むと１の上辺がさがり、上辺を踏み込むと床まで届く弾性があり足の出し入れがしやすく、又すぐに元にもどり暖気を逃がさない。【０００９】２の布には、６のゴムか５の面テープの付いた布を１から数個縫いつけ、こたつの足に取り付けるようにする。３は２の上辺から下に２から７ｃｍのところを左右から中心に向かい切り込んだもので１０ｃｍぐらいつなげたままにする。３の両端には面テープが付き同じ様にこたつ足にまきつけ布がずり落ちるのを防ぐ。６のゴムは２の布の真ん中あたりに横に付けつける。ゴムと布の間にこたつ足を通すようにして布がずり落ちるのを防ぐ。
【図面の簡単な説明】
【００１５】
【図１】こたつまき布を広げた全体図
【符号の説明】
【００１６】１・・・あし挿入部分に付く布        ２・・・こたつ足の部分に付く布
３・・・２の上辺の切り込んだ布      ４・・・足を掛けるひも
５・・・２の裏側に付ける布でこたつ足に巻き付ける布
６・・・２の裏側に付けるゴム